(57)【要約】      （修正有）【課題】物品の持出し状況を詳細に判定する。【解決手段】物品管理システム１は、物品に取り付けられ、該物品を識別する物品情報を記憶する物品用タグと、棚の扉の内側に取り付けられ、該棚を識別する棚情報を記憶する棚用タグと、物品情報及び棚情報を受信するタグリーダ６と、入力されたユーザ情報に対する認証処理を実行する認証部１２と、認証処理の結果と、タグリーダ６による物品情報及び棚情報の受信状況とに基づいて、物品へのアクセス状況を判定する判定部１３と、を備える。【選択図】図２
2009234784.tif 000002
【特許請求の範囲】
【請求項１】
物品に取り付けられ、該物品を識別する物品情報を記憶する物品用非接触ＩＣタグと、
前記物品を収容する棚の扉の内側に取り付けられ、該棚を識別する棚情報を記憶する棚用非接触ＩＣタグと、
前記物品用非接触ＩＣタグから前記物品情報を受信する物品情報受信手段と、
前記扉が開いたときに前記棚用非接触ＩＣタグから前記棚情報を受信する棚情報受信手段と、
入力されたユーザ情報に対する認証処理を実行する認証手段と、
前記認証手段による認証処理の結果と、前記物品情報受信手段による物品情報の受信状況と、前記棚情報受信手段による棚情報の受信状況とに基づいて、前記物品へのアクセス状況を判定する判定手段と、
を備える物品管理システム。
【請求項２】
前記判定手段が、前記認証手段による認証処理の結果と、前記棚情報受信手段により前記棚情報が受信されている時に前記物品情報受信手段により受信された物品情報と該棚情報が受信されなくなった時に前記物品情報受信手段により受信された物品情報との差分とに基づいて、前記物品へのアクセス状況を判定する、
請求項１に記載の物品管理システム。
【請求項３】
前記判定手段が、前記認証手段による認証処理が行われず、且つ前記物品情報受信手段により受信された物品情報が存在する場合に、前記物品への不正アクセスが発生したと判定する、
請求項１又は２に記載の物品管理システム。
【請求項４】
前記判定手段が、前記認証手段による認証処理が行われず、且つ前記棚情報受信手段により受信された棚情報が存在する場合に、前記棚への不正アクセスが発生したと判定する、
請求項１〜３のいずれか一項に記載の物品管理システム。
【請求項５】
前記判定手段による判定結果を通知する通知手段を更に備える請求項１〜４のいずれか一項に記載の物品管理システム。
【請求項６】
物品に取り付けられ、該物品を識別する物品情報を記憶する物品用非接触ＩＣタグと、前記物品を収容する棚の扉の内側に取り付けられ、該棚を識別する棚情報を記憶する棚用非接触ＩＣタグとを備える物品管理システム、における物品管理方法であって、
前記物品用非接触ＩＣタグから前記物品情報を受信する物品情報受信ステップと、
前記扉が開いたときに前記棚用非接触ＩＣタグから前記棚情報を受信する棚情報受信ステップと、
入力されたユーザ情報に対する認証処理を実行する認証ステップと、
前記認証ステップにおける認証処理の結果と、前記物品情報受信ステップにおける物品情報の受信状況と、前記棚情報受信ステップにおける棚情報の受信状況とに基づいて、前記物品へのアクセス状況を判定する判定ステップと、
を含むことを特徴とする物品管理方法。
【発明の詳細な説明】
【技術分野】
【０００１】
本発明は、物品の持出しを管理する物品管理システム及び物品管理方法に関する。
【背景技術】
【０００２】
従来から、物品の持出しを管理する物品管理システムが知られている。例えば、下記特許文献１には、電磁シールド材が設けられた収納部材と、物品に取り付けられた非接触ＩＣタグの信号を受信する読取装置とを備える収納装置が記載されている。
【特許文献１】特開２００７−１７６５５０号公報
【発明の開示】
【発明が解決しようとする課題】
【０００３】
しかしながら、上記特許文献１に記載の収納装置は物品の存否を検知できるだけであり、誰が物品を持ち出したかということ、及び物品の持出しが正当な権限に基づくものか否かということを判定することはできない。
【０００４】
本発明は、上記課題を解決するためになされたものであり、物品の持出し状況を詳細に判定することが可能な物品管理システム及び物品管理方法を提供することを目的とする。
【課題を解決するための手段】
【０００５】
本発明の物品管理システムは、物品に取り付けられ、該物品を識別する物品情報を記憶する物品用非接触ＩＣタグと、物品を収容する棚の扉の内側に取り付けられ、該棚を識別する棚情報を記憶する棚用非接触ＩＣタグと、物品用非接触ＩＣタグから物品情報を受信する物品情報受信手段と、扉が開いたときに棚用非接触ＩＣタグから棚情報を受信する棚情報受信手段と、入力されたユーザ情報に対する認証処理を実行する認証手段と、認証手段による認証処理の結果と、物品情報受信手段による物品情報の受信状況と、棚情報受信手段による棚情報の受信状況とに基づいて、物品へのアクセス状況を判定する判定手段と、を備える。
【０００６】
また、本発明の物品管理方法は、物品に取り付けられ、該物品を識別する物品情報を記憶する物品用非接触ＩＣタグと、物品を収容する棚の扉の内側に取り付けられ、該棚を識別する棚情報を記憶する棚用非接触ＩＣタグとを備える物品管理システム、における物品管理方法であって、物品用非接触ＩＣタグから物品情報を受信する物品情報受信ステップと、扉が開いたときに棚用非接触ＩＣタグから棚情報を受信する棚情報受信ステップと、入力されたユーザ情報に対する認証処理を実行する認証ステップと、認証ステップにおける認証処理の結果と、物品情報受信ステップにおける物品情報の受信状況と、棚情報受信ステップにおける棚情報の受信状況とに基づいて、物品へのアクセス状況を判定する判定ステップと、を含むことを特徴とする。
【０００７】
このような物品管理システム及び物品管理方法によれば、物品情報の受信状況に加えて、ユーザ情報に対する認証処理の結果と棚情報の受信状況とを用いて物品へのアクセス状況を判定するので、物品の持出し状況を詳細に判定できる。
【０００８】
本発明の物品管理方法では、判定手段が、認証手段による認証処理の結果と、棚情報受信手段により棚情報が受信されている時に物品情報受信手段により受信された物品情報と該棚情報が受信されなくなった時に物品情報受信手段により受信された物品情報との差分とに基づいて、物品へのアクセス状況を判定することが好ましい。
【０００９】
この場合、棚の扉が閉められる前後の物品の持出し又は返却の状況が検知されるので、物品の持出し状況をより詳細に判定できる。
【００１０】
本発明の物品管理方法では、判定手段が、認証手段による認証処理が行われず、且つ物品情報受信手段により受信された物品情報が存在する場合に、物品への不正アクセスが発生したと判定することが好ましい。
【００１１】
これにより、ユーザ認証をすることなく物品に不正にアクセスしようとするユーザを検知できる。
【００１２】
本発明の物品管理方法では、判定手段が、認証手段による認証処理が行われず、且つ棚情報受信手段により受信された棚情報が存在する場合に、棚への不正アクセスが発生したと判定することが好ましい。
【００１３】
これにより、ユーザ認証をすることなく棚の扉を開けたユーザ（棚に不正にアクセスしたユーザ）を検知できる。
【００１４】
本発明の物品管理方法では、判定手段による判定結果を通知する通知手段を更に備えることが好ましい。
【００１５】
この場合、判定結果が通知されるので、物品管理システムの管理者は物品へのアクセス状況を知ることができる。
【発明の効果】
【００１６】
このような物品管理システム及び物品管理方法によれば、物品情報の受信状況に加えて、ユーザ情報に対する認証処理の結果と棚情報の受信状況とを用いて物品へのアクセス状況を判定するので、物品の持出し状況を詳細に判定できる。
【発明を実施するための最良の形態】
【００１７】
以下、添付図面を参照しながら本発明の実施形態を詳細に説明する。なお、図面の説明において同一又は同等の要素には同一の符号を付し、重複する説明を省略する。
【００１８】
まず、図１〜３を用いて、実施形態に係る物品管理システムの構成を説明する。図１は物品管理システムの全体構成を示す図である。図２は物品システムの機能構成を示す図である。図３は、図１に示すパーソナルコンピュータ（以下では「ＰＣ」という）のハードウェア構成を示す図である。
【００１９】
物品管理システム１は、棚２に収容された物品３の持出しを管理するコンピュータシステムである。物品管理システム１は、物品３に取り付けられた物品用非接触ＩＣタグ（以下では「物品用タグ」という）４と、棚２の扉２ａの内側に取り付けられた棚用非接触ＩＣタグ（以下では「棚用タグ」という）５と、タグリーダ６と、ユーザが所持する認証用カード７と、カードリーダ８と、ＰＣ９とを含んで構成されている。なお、図１では説明の簡単のために棚及び物品をそれぞれ一つのみ示したが、棚や物品の個数は複数でもよい。
【００２０】
物品用タグ４は、物品３の識別子を含む物品情報を記憶するアクティブタグである。もっとも、物品用タグ４は物品情報以外のデータ（例えばタグ自体の識別子や物品名など）を記憶してもよいし、電池を内蔵しないパッシブタグであってもよい。
【００２１】
棚用タグ５は、棚２の識別子を含む棚情報を記憶するアクティブタグである。もっとも、棚用タグ５は棚情報以外のデータ（例えばタグ自体の識別子など）を記憶してもよい。
【００２２】
タグリーダ６は、物品用タグ４及び棚用タグ５から送信された電波を受信し復調することで、各タグに記憶されているデータを受信する装置である。すなわち、タグリーダ６は物品情報受信手段及び棚情報受信手段として機能する。タグリーダ６は受信したデータをＰＣ９に送信する。扉２ａが開いている状態では、タグリーダ６は棚用タグ５及び棚２の中にある物品３の物品用タグ４からデータを受信することが可能である。しかし、扉２ａが閉まっている状態では、棚用タグ５及び棚２内の物品用タグ４から発信された電波は扉２ａにより遮断されるので、タグリーダ６はそれらのタグからデータを受信することができない。
【００２３】
認証用カード７は、ユーザを認証するためのユーザ情報（例えばユーザアカウント及びパスワード）を記憶する非接触ＩＣカードである。この認証用カード７は、ユーザが物品管理システム１にログインするために使用される。
【００２４】
カードリーダ８は、認証用カード７から送信された電波を受信し復調することで、認証用カード７に記憶されているデータを受信する装置である。カードリーダ８は受信したデータをＰＣ９に送信する。
【００２５】
物品管理システム１は、図２に示すように、機能的構成要素としてデータベース１１、認証部（認証手段）１２、判定部（判定手段）１３、及び通知部（通知手段）１４を備えている。本実施形態において、これらの構成要素はＰＣ９に実装されている。
【００２６】
ＰＣ９は、図３に示すように、オペレーティングシステムやアプリケーションプログラムなどを実行するＣＰＵ１０１、ＲＯＭ及びＲＡＭで構成される主記憶部１０２、ハードディスクなどで構成される補助記憶部１０３、ネットワークカードなどの通信制御部１０４、キーボードやマウスなどの入力部１０５、モニタやプリンタなどの出力部１０６、及びタグリーダ６やカードリーダ８などの周辺機器が接続される接続ポート１０７で構成される。図２に示される各機能は、図３に示すＣＰＵ１０１や主記憶部１０２の上に所定のソフトウェアを読み込ませ、ＣＰＵ１０１の制御の下で通信制御部１０４を動作させるとともに、主記憶部１０２や補助記憶部１０３におけるデータの読み出し及び書き込みを行うことで実現される。
【００２７】
データベース１１は、ユーザ認証に用いるためのユーザ情報（例えばユーザアカウント及びパスワード）を記憶すると共に、判定部１３から入力された棚情報及び物品情報を記憶する手段である。
【００２８】
認証部１２は、入力されたユーザ情報に対する認証処理を実行する手段である。認証部１２は、カードリーダ８から入力されたユーザ情報と、データベース１１に記憶しているユーザ情報とを照合し、ログインしようとしているユーザが正当なアクセス権限を有するか否かを判定する。入力されたユーザ情報とデータベース１１内のユーザ情報とが一致した場合、認証部１２はそのユーザ情報に対するログイン処理を実行し、そのユーザ情報を判定部１３に出力する。これに対して、入力されたユーザ情報に一致するユーザ情報がデータベース１１に存在しない場合、認証部１２はログイン処理を実行することなく処理を終了する。
【００２９】
なお、認証部１２は、カードリーダ８から取得したユーザ情報ではなく、ユーザが入力部１０５を介して入力したユーザ情報に基づいて認証処理を実行してもよい。
【００３０】
判定部１３は、認証部１２による認証処理の結果と、タグリーダ６による物品情報及び棚情報の受信状況とに基づいて、物品３へのアクセス状況を判定する手段である。
【００３１】
ユーザ情報及び棚情報が入力された場合、判定部１３はログインしたユーザが扉２ａを開けたと判定しユーザ情報をデータベース１１に記憶する。このとき、判定部１３は入力された物品情報を受け付けてデータベース１１に記憶する。その後、棚情報が入力されなくなった場合、判定部１３はユーザが扉２ａを閉めたと判定すると共に、入力された物品情報をデータベース１１に記憶する。続いて、判定部１３は棚情報が入力されなくなった後も入力され続けている物品情報と、棚情報を受け付けていた時に入力されていた物品情報との差分を算出し、その差分を物品情報のリストとして保持する。そして、判定部１３は、記憶しているユーザ情報と算出したリストとを関連付けて借用情報又は返却情報を生成し、通知部１４に出力する。
【００３２】
すなわち、判定部１３は、認証部１２による認証処理の結果と、タグリーダ６により棚情報が受信されている時にそのタグリーダ６により受信された物品情報と該棚情報が受信されなくなった時に受信された物品情報との差分とに基づいて、物品３へのアクセス状況を判定する手段である。
【００３３】
例えば、ユーザ情報が「ユーザＡ」であり、棚情報が入力されていた時に受け付けていた物品情報が存在せず、棚情報が入力されなくなった後に物品情報「物品１，物品２」が入力された場合、判定部１３は、ユーザ情報「ユーザＡ」と物品情報「物品１，物品２」とが関連付けられた借用情報を生成する。これは、以前に何も持っていなかったユーザが「物品１，物品２」に対応する二つの物品を棚２から持ち出したことを示している。
【００３４】
また、ユーザ情報が「ユーザＡ」であり、棚情報が入力されていた時に受け付けていた物品情報が「物品１」であり、棚情報が入力されなくなった後に物品情報「物品１，物品２」が入力された場合、判定部１３は、ユーザ情報「ユーザＡ」と物品情報「物品２」とが関連付けられた借用情報を生成する。これは、以前に「物品１」で識別される物品を持ち出したユーザが更に「物品２」で識別される物品を棚２から持ち出したことを示している。
【００３５】
また、ユーザ情報が「ユーザＡ」であり、棚情報が入力されていた時に受け付けていた物品情報が「物品１，物品２」であり、棚情報が入力されなくなった後に受け付けられた物品情報が存在しない場合、判定部１３は、ユーザ情報「ユーザＡ」と物品情報「物品１，物品２」とが関連付けられた返却情報を生成する。これは、以前に「物品１，物品２」に対応する二つの物品を持ち出したユーザがその二つの物品を棚２に返却したことを示している。
【００３６】
更に、ユーザ情報「ユーザＡ」であり、棚情報が入力されていた時に受け付けていた物品情報が「物品１，物品２」であり、棚情報が入力されなくなった後に物品情報「物品１」が入力された場合、判定部１３は、ユーザ情報「ユーザＡ」と物品情報「物品２」とが関連付けられた返却情報を生成する。これは、以前に「物品１，物品２」に対応する二つの物品を持ち出したユーザが「物品２」で識別される物品のみを棚２に返却したことを示している。
【００３７】
以上に対し、ユーザ情報が入力されていない状態で棚情報及び物品情報が入力された場合、判定部１３は、正当な権限の無いユーザが棚２又は物品３にアクセスしたと判定する。この場合、判定部１３は不正アクセスが発生していることを示す警告情報を生成して通知部１４に出力する。
【００３８】
すなわち、判定部１３は、認証部１２による認証処理が行われず、且つタグリーダ６により受信された物品情報又は棚情報が存在する場合に、物品又は棚への不正アクセスが発生したと判定する手段である。
【００３９】
通知部１４は、判定部１３による判定結果を通知する手段である。具体的には、通知部１４は入力された情報に基づいて電子メールを生成し、物品管理システム１の管理者のメールアドレス宛にそのメールを送信する。
【００４０】
例えば、ユーザ情報「ユーザＡ」と物品情報「物品１，物品２」とが関連付けられた借用情報が入力された場合、通知部１４は、ユーザＡが物品１及び物品２を借りたことを示す電子メールを生成する。また、ユーザ情報「ユーザＡ」と物品情報「物品１」とが関連付けられた返却情報が入力された場合、通知部１４は、ユーザＡが物品１を返却したことを示す電子メールを生成する。更に、警告情報が入力された場合、通知部１４は、不正アクセスの発生を示す電子メールを生成する。これにより、管理者は物品３の持出し状況や棚２及び物品３への不正アクセスの有無を知ることができる。
【００４１】
次に、図４を用いて、図１に示す物品管理システム１の処理を説明するとともに本実施形態に係る物品管理方法について説明する。図４は物品管理システム１の処理を示すフローチャートである。
【００４２】
物品管理システム１の処理は、判定部１３にユーザ情報が入力されるか否かで異なる（ステップＳ１１）。認証部１２がユーザ情報に対する認証処理を実行し（認証ステップ）、認証が成功した場合には、判定部１３がユーザ情報の入力を受け付ける（ステップＳ１１；ＹＥＳ）。
【００４３】
続いて、判定部１３は棚情報及び物品情報の入力を受け付ける。なお、棚情報及び物品情報はタグリーダ６により受信されて判定部１３に出力される（物品情報受信ステップ、棚情報受信ステップ）。具体的には、判定部１３は棚情報が入力されている時に受け付けた物品情報を記憶し（ステップＳ１２）、その後、棚情報が入力されなくなった後に受け付けた物品情報を記憶する（ステップＳ１３）。続いて、判定部１３は棚情報が入力されなくなる前後での物品情報の差分を算出し（ステップＳ１４、判定ステップ）、その差分に基づいて借用情報又は返却情報を生成する（ステップＳ１５、判定ステップ）。その後、通知部１４が生成された借用情報又は返却情報を管理者のメールアドレス宛に通知する（ステップＳ１５）。
【００４４】
以上に対して、判定部１３にユーザ情報が入力されないときに（ステップＳ１１；ＮＯ）判定部１３が棚情報又は物品情報を受け付けた場合には（ステップＳ１６；ＹＥＳ）、判定部１３は棚２又は物品３に対する不正アクセスが発生したと判定し警告情報を生成する（ステップＳ１７、判定ステップ）。その後、通知部１４が生成された警告情報を管理者のメールアドレス宛に通知する（ステップＳ１７）。
【００４５】
以上説明したように、本実施形態によれば、物品情報の受信状況に加えて、ユーザ情報に対する認証処理の結果と棚情報の受信状況とを用いて物品３へのアクセス状況を判定するので、物品３の持出し状況を詳細に判定できる。
【００４６】
特に、棚２の扉２ａが閉められる前後の物品３の持出し又は返却の状況が検知されるので、物品３の持出し状況をより詳細に判定できる。また、ユーザ認証をすることなく物品３や棚２に不正にアクセスしようとするユーザを検知できる。
【００４７】
また、本実施形態では判定結果が通知されるので、物品管理システム１の管理者は物品３へのアクセス状況を知ることができる。
【００４８】
また、本実施形態では非接触ＩＣタグを用いたワイヤレス通信により棚２を管理するので、部屋内の棚２やＰＣ９の配置を柔軟に決定できると共に、棚を特別に加工することなく扉の開閉状態を判定できる。
【００４９】
以上、本発明をその実施形態に基づいて詳細に説明した。しかし、本発明は上記実施形態に限定されるものではない。本発明は、その要旨を逸脱しない範囲で以下のような様々な変形が可能である。
【００５０】
物品へのアクセス状況の判定方法は上記実施形態に限定されない。例えば、判定部が、ユーザ情報が入力されない状況下で棚情報又は物品情報が一定時間以上入力され続けた場合に初めて警告情報を生成してもよい。
【００５１】
棚に設置するタグはセンサータグでもよい。例えば、扉の開閉状態だけでなく施錠状態も検知するセンサータグを導入することで、扉の施錠の有無を判定できる。
【００５２】
上記実施形態では、通知手段として電子メールを用いたが、警報やランプなどの手段による通知を採用してもよい。
【００５３】
上記実施形態ではＰＣ９を用いたが、クライアントサーバシステムや、ＰＣ９の各機能を実装した専用装置などを用いて物品管理システムを構築してもよい。
【図面の簡単な説明】
【００５４】
【図１】実施形態に係る物品管理システムの全体構成を示す図である。
【図２】図１に示す物品システムの機能構成を示す図である。
【図３】図１に示すＰＣのハードウェア構成を示す図である。
【図４】図１に示す物品管理システムの処理を示すフローチャートである。
【符号の説明】
【００５５】
１…物品管理システム、２…棚、２ａ…扉、３…物品、４…物品用タグ、５…棚用タグ、６…タグリーダ（物品情報受信手段、棚情報受信手段）、７…認証用カード、８…カードリーダ、９…ＰＣ、１１…データベース、１２…認証部（認証手段）、１３…判定部（判定手段）、１４…通知部（通知手段）。
【図１】
2009234784.tif 000003
【図２】
2009234784.tif 000004
【図３】
2009234784.tif 000005
【図４】
2009234784.tif 000006